(57)【特許請求の範囲】
【請求項１】
面方向の透水量が３×１０−１〜８×１０−１ｃｍ３／ｓｅｃ／ｃｍである排水層と、該排水層の上に施設され、立体網目状又はすだれ状の構造の空隙率８５〜９５％である空気層と、該空気層の上に、保水性素材で構成された保水ブロック体が面内方向に複数敷設され、各保水ブロック体の間には、前記排水性素材で構成された目地材が設けられている保水層と、を備えたことを特徴とする緑化システム。
【請求項２】
前記排水性素材が、ポリエステル繊維を主原料とする不織布であることを特徴とする請求項１記載の緑化システム。
【請求項３】
前記保水性素材が、ガラスを主原料とする発泡材であることを特徴とする請求項１又は２記載の緑化システム。
【請求項４】
前記保水層の上に敷設された土流出防止シートが設けられていることを特徴とする請求項１記載の緑化システム。
【発明の詳細な説明】
【技術分野】
【０００１】
本発明は、ビルの屋上の緑化などに利用される緑化システムに関する。
【背景技術】
【０００２】
近年、地球温暖化防止やヒートアイランド現象緩和などの環境の観点から、ビルの屋上や一般家庭の屋上などに緑化システムを設けることが行われている。ビルの屋上などに利用可能な緑化システムとしては、例えば、防水シートの上に、保水性を有する緑化用マットを敷設し、その上に土壌を敷いたものがある（特許文献１）。
【０００３】
【特許文献１】特開２００１−１４５４２２号公報
【発明の開示】
【発明が解決しようとする課題】
【０００４】
ビルの屋上の緑化システムとしては、適度な保水性を有するとともに、適度な排水性が必要である。すなわち、植物を育てる以上、ある程度の水を保有する必要があるが、過剰な水を保有すると、土壌の栄養素がその水に溶出してしまったり、また緑化システムが重くなったりするので、好ましくなく適度な排水性が必要である。しかしながら、特許文献１に記載された緑化システムは、保水性に優れた緑化用マットを用いているため、適度な排水を行うことができない。一方、排水用の穴を設けるなどして排水性を向上させている緑化システムもあるが、このように穴を設けると過度な排水を招き、軽量土壌が流出し、ドレインなどを詰まらせてしまうという問題がある。
【０００５】
また、ビルの屋上の緑化システムは、断熱性にも優れている必要がある。すなわち、従来の緑化システムは、特許文献１に示すようにビルの屋上のコンクリートに直接又は防水シートなど上に緑化用マットを敷設しているので、ビルの熱が緑化用マットに伝わり、保水された水の温度が上昇し、植物の育成に影響を与えてしまう。逆に、ビルの屋上の緑化システムには、太陽光が直射するため、夏場など高温になり、その熱がビルに伝わるという問題もある。
【０００６】
そこで、本発明は、適度な保水性を有するとともに、適度な排水性を確保し、さらに断熱性に優れた緑化システムを提供することを目的とする。
【課題を解決するための手段】
【０００７】
以上の目的を達成するため、本発明は、排水性素材で構成された排水層と、該排水層の上に施設され空気層と、該空気層の上に、保水性素材で構成された保水ブロック体が面内方向に複数敷設され、各保水ブロック体の間には、前記排水性素材で構成された目地材が設けられている保水層と、を備えたことを特徴とする緑化システムである。
【０００８】
以上のように本発明に係る緑化システムによれば、最上層に保水性素材で構成された保水ブロック体を施設したので、適度な保水性を確保することができ、またその保水ブロック体の間には、排水性素材で構成された目地材が設けて、クッション層を介して排水性素材で構成された排水層を設けたので、目地材を介して排水層に水を排水させて、適度な排水を行うことができる。また、保水層と排水層の間には、空気層を設けており、保水層と排水層の熱が空気を介して伝わるので、断熱効果を向上させることができる。
【０００９】
前記排水性素材は、排水性に優れた素材であって、面内方向の透水性に優れていることが好ましく、ポリエステル繊維を主原料とする不織布であることが好ましい。例えば面内方向の透水量が、３×１０−１〜８×１０−１ｃｍ３／ｓｅｃ／ｃｍであることが好ましい。ここで、面内方向とは、平面方向のことをいい、面内方向の透水量は、ジオテキスタイルの面内方向透水性能試験方法（日本工業規格案、試料長３０ｃｍ、試料幅１０ｃｍ、測定時間６０秒間、上載圧２ｋＰａ、動水勾配０．２）に基づいて測定した。この排水性素材は、排水層として使用する場合、透水性に優れた面内方向を水平方向にして設け、保水層の目地材として使用する場合、透水性に優れた面内方向を縦に立てて設けることが好ましい。
【００１０】
前記保水性素材は、保水性に優れた素材であって、例えば保水量（体積に対する保水量）が、２０〜３５％であることが好ましく、ガラスを主原料とする発泡材であることが好ましい。また、この保水性素材には、断熱性を有することが好ましい。
【００１１】
また、前記空気層は、ポリプロピレンを主原料とし、空隙率８５〜９５％である素材から構成されていることが好ましく、また立体網目状又はすだれ状の構造であることが好ましい。このように立体網目状又はすだれ状の構造にしたり、空隙率を多くすることによって、クッション性を向上させることができ、その上に敷設される保水ブロックなどを守ることができる。ここで、すだれ状とは、細い円筒材が面内方向に連結された状態をいう。立体網目状にした場合、ポーラス素材で構成することがさらに好ましい。
【００１２】
本発明に係る緑化システムにおいて、前記保水層の上に土流出防止シートがさらに敷設されていることが好ましく、排水層の下に防根シートがさらに敷設されていることが好ましい。
【発明の効果】
【００１３】
以上のように本発明に係る緑化システムによれば、適度な保水性を有するとともに、適度な排水性を確保し、さらに断熱性に優れた緑化システムを提供することができる。
【発明を実施するための最良の形態】
【００１４】
次に、本発明に係る緑化システムの実施例について図面に基づいて説明する。図１は、本実施例に係る緑化システムを利用した屋上緑化の斜視図であり、図２は、その断面図である。本実施例に係る緑化システムは、排水性に優れた排水層１０と、排水層１０の上に施設された空気層１２と、空気層１２の上に敷設された保水層１４と、排水層１０の下に敷設された防根シート１５と、保水層１４の上に敷設された土流出防止シート１６と、を備えており、土流出防止シート１６の上に土壌を敷設することによって利用されている。
【００１５】
排水層１０は、特に面内方向の排水性に優れた排水性素材、例えばポリエステル繊維を主原料とする不織布（（株）清水フェルト工業製、商品名：プロテクター法面）で構成されている。この排水性素材は、面内方向の透水性が優れており、この面内方向が水平になるように設置される。本実施例においては、この排水性素材と防根シート１５を別個に構成したが、例えば排水性素材の裏面に防根シート１５を張り付けるようにして構成しても良い。また、空気層１２は、空隙率が８５〜９５％の素材、例えば、ポリプロピレン系非耐圧型立体網目状のポーラス素材から構成されている。この空気層１２は、保水層１４などが積層された際に厚さが２〜３ｍｍ程度になることが好ましい。
【００１６】
保水層１４は、図３に示すように保水ブロック体１８を面内方向に複数敷設され、各保水ブロック体１８の間を目地材２０によって埋めることによって構成されている。保水ブロック体１８は、平面正方形状に形成されており、保水性素材、例えばガラスを主原料とする発泡材（（有）壱水陶苑製、商品名：サーマルライト）で構成されている。また、目地材２０は、排水層１０と同様の素材で構成されており、縦方向の排水性が向上するように面内方向を縦に立てて各保水ブロック体１８の間に配置される。防根シート１５は、一般的に使用されているもので良い。また、土流出防止シート１６は、一般的に使用されているものでも良く、例えば天然繊維１００％で構成されているものや、天然繊維あるケナフ５０％と化学繊維であるポリエチレン５０％から構成されているものなどがある。
【００１７】
本発明に係る緑化システムを施工する際には、先ず、図１に示すように防根シート１５をコンクリートの上に敷設し、その上に排水層１０を敷設する。次に、敷設された排水層１０上にその縁に沿ってブロック２２によって外枠を作り、その中に空気層１２を敷設し、さらにその上に保水ブロック体１８を面内方向に複数敷設し、その間に目地材２０を敷設する。この保水ブロック体１８と目地材２０によって構成される保水層１４の上に土流出防止シート１６を敷設し、その上に土壌２４を敷設することによって完成する。
【図面の簡単な説明】
【００１８】
【図１】本発明に係る緑化システムの実施例を利用した屋上緑化の斜視図である。
【図２】本実施例に係る緑化システムを利用した屋上緑化の断面図である。
【図３】本実施例に係る緑化システムに用いられる保水層を敷設した状態の平面図である。
【符号の説明】
【００１９】
１０   排水層
１２   空気層
１４   保水層
１６   土流出防止シート
１８   保水ブロック体
２０   目地材
【図１】
0003679103.tif 000002
【図２】
0003679103.tif 000003
【図３】
0003679103.tif 000004